(57)【要約】【課題】バール等の工具を用いて故意に簡単に開放できないサッシとする。【解決手段】サッシ枠１０に障子戸２０を室内外側方向に回動自在に取付け、このサッシ枠１０の一方の縦枠１３と障子戸２０の戸先框２３とに亘って下部錠装置３０と上部錠装置４０を取付け、その下部錠装置３０は操作部材３１により錠３４を下から上に移動すると錠受３５に係合して施錠する構造で、前記上部錠装置４０は操作部材４１により錠４４を上から下に向けて移動すると錠受４５に係合し、かつ下方に移動しないように支持して施錠する構造で、バール等の工具を用いてこじ開けようとして下部錠装置３０又は上部錠装置４０を無理に解錠しても上部錠装置４０又は下部錠装置３０が施錠状態を維持し、しかも、バール等の工具を用いて障子戸２０を持ち上げ、押し下げようとした場合には下部錠装置３０、上部錠装置４０の一方で持ち上げ、押し下げを防止でき、故意に簡単に開放できないようにしたサッシ。【選択図】図１
2005146674.tif 000002
【特許請求の範囲】
【請求項１】
サッシ枠に開閉体を室内外側方向に回動自在に取付け、このサッシ枠の一方の縦枠と開閉体の戸先框とに亘って下部錠装置と上部錠装置を取付け、
前記下部錠装置は、開閉体の戸先框に取付けた操作部材と、この操作部材によって上下に移動する錠と、一方の縦枠に取付けた錠受を備え、その錠が上下方向一方から他方に向けて移動すると錠受に係合し、かつ錠がそれ以上上下方向他方に移動しないように支持して施錠し、前記錠が上下方向一方に移動すると錠受と離脱して解錠する構造で、
前記上部錠装置は、開閉体の戸先框に取付けた操作部材と、この操作部材によって上下に移動する錠と、一方の縦枠に取付けた錠受を備え、その錠が上下方向他方から一方に向けて移動すると錠受に係合し、かつ錠がそれ以上上下方向一方に移動しないように支持して施錠し、前記錠が上下方向他方に移動すると錠受と離脱して解錠する構造であることを特徴とするサッシ。
【請求項２】
下部錠装置は、錠が下から上に向けて移動すると錠受に係合し、かつ錠がそれ以上上方に移動しないように支持して施錠し、前記錠が下に移動すると錠受と離脱して解錠する構造で、
上部錠装置は、錠が上から下に向けて移動すると錠受に係合し、かつ錠がそれ以上下方に移動しないように支持して施錠し、前記錠が上に移動すると錠受と離脱して解錠する構造である請求項１記載のサッシ。
【請求項３】
下部錠装置、上部錠装置は操作部材で上下に移動される杆体をそれぞれ備え、各杆体に複数の錠がそれぞれ取付けてあると共に、一方の縦枠に各錠と対応して複数の錠受が取付けてある請求項１又は２記載のサッシ。
【発明の詳細な説明】
【技術分野】
【０００１】
本発明は、縦辷り出し窓や玄関ドア、勝手口ドア等のサッシ枠に障子戸、扉等の開閉体を室内外側方向に回動自在に取付けたサッシに関する。
【背景技術】
【０００２】
サッシ枠に障子戸を室内外側方向に回動自在に取付けた縦辷り出し窓においては、サッシ枠の一方の縦枠と障子戸の一方の縦框に亘って錠を取付けている。
例えば、特許文献１に開示されたグレモン錠を取付けている。
【０００３】
【特許文献１】特開平９−４１７６２号公報
【発明の開示】
【発明が解決しようとする課題】
【０００４】
前述したグレモン錠を取付けた縦辷り出し窓においては、その縦枠と縦框との間にバール等の工具を差し込み、少しずつその間を広げていくと、やがて室内側にバールが突き抜ける。
この状態でバール等の工具により障子戸をこじると、開く方向に強い力がかかり、前述のグレモン錠が比較的簡単に破壊されてしまうから防犯上好ましくない。
このことを解消するためには、前述のグレモン錠を形成する受け材、グレモンピンを複数として縦枠、縦框の長手方向複数位置を施錠することが考えられる。
【０００５】
前述したグレモン錠としては、ハンドルによって上下移動する杆体に複数のグレモンピンを取付け、縦枠に複数の受け材を取付け、ハンドルを操作することで杆体を上下に移動することで各グレモンピンを各受け材に係合、離脱して施錠、解錠するものが考えられる。
このようなグレモン錠であると、前述したように縦枠と縦框との間の任意の位置にバール等の工具を差し込み障子戸をこじ開けようとした際に、そのこじ開けようとする力で１つの受け材とグレモンピンが変形等で離脱すると、各受け材が杆体に取付けてあるので、他の受け材とグレモンピンも離脱することがあり、前述のようにグレモンピンと受け材を複数取付けても防犯上好ましくない。
【０００６】
また、前述したグレモン錠は、そのグレモンピンを下から上に移動して受け材に係合することで施錠するタイプで、下枠と下框との間にバール等の工具を差し込み障子戸を持ち上げようとしてもグレモンピンが受け材に当たって持ち上げできないから、障子戸を持ち上げて解錠できないようにしてある。
しかし、上枠と上框との間にバール等の工具を差し込み障子戸を押し下げようとすれば、障子戸が押し下げられてグレモンピンが受け材から離脱して解錠されてしまう。
【０００７】
したがって、前述のようにグレモンピンと受け材を複数取付けても防犯上好ましくない。
以上のことは、サッシ枠に扉を室内外側方向に回動自在に取付けたドアの場合も同様である。
つまり、サッシ枠に開閉体（障子戸、扉）を室内外側方向に回動自在に取付けたサッシは、バール等の工具を用いて故意に開閉体を簡単に開放でき、防犯上好ましくない。
【０００８】
本発明の目的は、バール等の工具を用いて故意に開閉体を簡単に開放できないようにしたサッシを提供することである。
【課題を解決するための手段】
【０００９】
第１の発明は、サッシ枠に開閉体を室内外側方向に回動自在に取付け、このサッシ枠の一方の縦枠と開閉体の戸先框とに亘って下部錠装置と上部錠装置を取付け、
前記下部錠装置は、開閉体の戸先框に取付けた操作部材と、この操作部材によって上下に移動する錠と、一方の縦枠に取付けた錠受を備え、その錠が上下方向一方から他方に向けて移動すると錠受に係合し、かつ錠がそれ以上上下方向他方に移動しないように支持して施錠し、前記錠が上下方向一方に移動すると錠受と離脱して解錠する構造で、
前記上部錠装置は、開閉体の戸先框に取付けた操作部材と、この操作部材によって上下に移動する錠と、一方の縦枠に取付けた錠受を備え、その錠が上下方向他方から一方に向けて移動すると錠受に係合し、かつ錠がそれ以上上下方向一方に移動しないように支持して施錠し、前記錠が上下方向他方に移動すると錠受と離脱して解錠する構造であることを特徴とするサッシある。
【００１０】
第２の発明は、第１の発明において、下部錠装置は、錠が下から上に向けて移動すると錠受に係合し、かつ錠がそれ以上上方に移動しないように支持して施錠し、前記錠が下に移動すると錠受と離脱して解錠する構造で、
上部錠装置は、錠が上から下に向けて移動すると錠受に係合し、かつ錠がそれ以上下方に移動しないように支持して施錠し、前記錠が上に移動すると錠受と離脱して解錠する構造であるサッシである。
【００１１】
第３の発明は、第１又は第２の発明において下部錠装置、上部錠装置は操作部材で上下に移動される杆体をそれぞれ備え、各杆体に複数の錠がそれぞれ取付けてあると共に、一方の縦枠に各錠と対応して複数の錠受が取付けてあるサッシである。
【発明の効果】
【００１２】
請求項１に係る発明によれば、下部錠装置と上部錠装置でサッシ枠の一方の縦枠と開閉体の戸先框を施錠すると共に、下部錠装置の錠は上下方向一方から他方に向けて移動して錠受に係合して施錠し、上部錠装置の錠は上下方向他方から一方に向けて移動して錠受に係合して施錠するから、しっかりと開閉体を施錠でき、しかも別々の操作部材によってそれぞれ操作される。
したがって、サッシ枠の一方の縦枠と開閉体の戸先框との間にバール等の工具を挿入してこじ開けようとして下部錠装置又は上部錠装置の錠と錠受を無理に離脱しても、上部錠装置又は下部錠装置の錠が錠受に対して移動等しないから、施錠状態を維持する。
また、下枠と下框との間にバール等の工具を差し込んで開閉体を持ち上げようとした場合には下部錠装置又は上部錠装置によって開閉体が持ち上げられないように支持し、上枠と上框との間にバール等の工具を差し込んで開閉体を押し下げようとした場合には上部錠装置又は下部錠装置によって開閉体が押し下げられないように支持する。
これらが相俟って、バール等の工具を用いて故意に開閉体を簡単に開放できないサッシである。
【００１３】
請求項２に係る発明によれば、下部錠装置の錠は下から上に向けて移動して錠受に係合して施錠し、上部錠装置の錠は上から下に向けて移動して錠受に係合して施錠するから、サッシ枠の一方の縦枠と開閉体の戸先框との間にバール等の工具を挿入してこじ開けようとして下部錠装置の錠と錠受を無理に離脱しても、上部錠装置の錠が錠受に対して下方に移動しないから、施錠状態を維持することができる。
【００１４】
請求項３に係る発明によれば、下部錠装置と上部錠装置がそれぞれ複数の錠と錠受を備えているので、４つ以上の複数の位置で開閉体が施錠される。
また、操作部材で上下に移動する杆体に複数の錠を取付けたので、施錠、解錠する操作が簡単である。
【発明を実施するための最良の形態】
【００１５】
図１に示すように、サッシ枠１０に開閉体、例えば障子戸２０を開放姿勢と同じ姿勢とに亘って室内外側方向に回動自在に取付けてサッシとしてある。
前記サッシ枠１０は、上枠１１と下枠１２と左右の縦枠１３を方形枠組みしてある。
前記障子戸２０は、上框２１と下框２２と戸先框２３と戸尻框２４を方形框組みした内部にガラスを装着してある。
前記サッシ枠１０の上枠１１と障子戸２０の上框２１及びサッシ枠１０の下枠１２と障子戸２０の下框２２に亘ってフリクションステー２５がそれぞれ取付けられて前述のサッシは縦辷り出し窓である。
これに限ることはなく、前述の障子戸をサッシ枠１０の縦枠１３にヒンジで取付けた外開き窓や、開閉体を扉とし、その扉をヒンジでサッシ枠１０の縦枠１３に室内外側方向に回動自在に取付けたドア等でも良い。
つまり、本発明に係るサッシは、開閉体が開放姿勢の時に、その開閉体の戸先框２３が室外側に突出するサッシである。
【００１６】
図１に示すように、一方の縦枠１３の下部寄りと戸先框２３の下部寄りに亘って下部錠装置３０が取付けてある。
前記一方の縦枠１３の上部寄りと戸先框２３の上部寄りに亘って上部錠装置４０が取付けてある。
前記下部錠装置３０、上部錠装置４０は、戸先框２３に設けた操作部材３１，４１と、グレモン機構３２，４２と、杆体３３，４３と、この杆体３３，４３に設けた錠３４，４４と、前記一方の縦枠１３に設けた錠受３５，４５を備え、操作部材３１，４１を操作することで杆体３３，４３が上下方向に移動して錠３４，４４が錠受３５，４５に係脱して施錠、解錠する。
前記下部錠装置３０の錠３４は上下方向一方から他方に向けて移動、例えば下から上に向けて移動することで錠受３５に係合し、かつ錠３４がそれ以上上下方向他方、例えば上方に移動しないように支持して施錠状態となり、この状態から上下方向一方、例えば下方に移動することで錠受３５と離脱して解錠状態となる。
前記上部錠装置４０の錠４４は上下方向他方から一方に向けて移動、例えば上から下に向けて移動することで錠受４５に係合し、かつ上下方向一方、例えば下方に移動しないように支持して施錠状態となり、この状態から上下方向他方、例えば上方に移動することで錠受３５と離脱して解錠状態となる。
【００１７】
このようであるから、下部錠装置３０、上部錠装置４０の錠３４，４４と錠受３５，４５を係合することで、一方の縦枠１３と戸先框２３を長手方向複数位置で施錠できる。
また、バール等の工具を一方の縦枠１３と戸先框２３との間に挿入してこじ開けようとした際に、そのこじ開けようとする力で下部錠装置３０の錠３４と錠受３５、又は上部錠装置４０の錠４４と錠受４５が、変形等によって離脱しても上部錠装置４０の錠４４と錠受４５又は下部錠装置３０の錠３４と錠受３５は係合した状態のままで施錠状態を維持する。
また、下枠１２と下框２２との間にバール等の工具を挿入して障子戸２０を持ち上げようとした場合には、下部錠装置３０と上部錠装置４０の一方、この実施の形態では下部錠装置３０の錠３４が錠受３５に対して上方に移動できないから障子戸２０が持ち上げを防止する。
また、上枠１１と上框２１との間にバール等の工具を挿入して障子戸２０を押し下げようとした場合には、下部錠装置３０と上部錠装置４０の他方、この実施の形態では上部錠装置４０の錠４４が錠受４５に対して下方に移動できないから障子戸２０の押し下げを防止する。
これらが相俟って、バール等の工具を用いて故意に障子戸２０を簡単に開放できない。
【００１８】
この実施の形態によれば、バール等の工具を一方の縦枠１３と戸先框２３との間に挿入してこじ開けようとした際に、そのこじ開けようとした力で下部錠装置３０の錠３４と錠受３５が、変形等によって離脱しても障子戸２０が垂れ下がることがない。
つまり錠３４と錠受３５が離脱すると障子戸２０が自重等で下方に移動しようとするが、上部錠装置４０の錠４４は下方に移動することで錠受４５に係合し、かつそれ以上下方に移動しない形状であるから、その錠４４が錠受４５から離脱することがなく、上部錠装置４０が解錠状態となることがない。
【００１９】
この実施の形態では、前記下部錠装置３０の操作部材３１はレバーハンドルで、図１に示すように縦向き姿勢の時に錠３４が錠受３５に係合した施錠状態で、この状態から矢印ａ方向に回動操作することで杆体３３が矢印ｂのように下方に移動して錠３４が錠受３５から離脱し解錠状態となる。
前記上部錠装置４０の操作部材４１はサムターンで、図１に示すように横向き姿勢の時に錠４４が錠受４５に係合した施錠装置で、この状態から矢印ｃ方向に回動操作することで杆体４３が矢印ｄのように上方に移動して錠４４が錠受４５から離脱し解錠状態となる。
また、下部錠装置３０は錠３４と錠受３５が上下方向に離隔して複数個、例えば２個設けてある。
また、上部錠装置４０に錠４４と錠受４５が上下方向に離隔して複数個、例えば４個設けてある。
【００２０】
このようであるから、サッシ枠１０の一方の縦枠１３と障子戸２０の戸先框２３を下部寄りの複数個所、例えば２ヶ所、上部寄りの複数個所、例えば４ヶ所でそれぞれ施錠でき、防犯上好ましい。
また、下部錠装置３０、上部錠装置４０のグレモン機構３２，４２、杆体３３，４３、錠３４，４４、錠受３５，４５を共通とすることができる。
【００２１】
なお、下部錠装置３０の錠３４を上から下に移動して錠受３５に係合して施錠し、上に移動して離脱して解錠するようにし、上部錠装置４０の錠４４を下から上に移動して錠受４５に係合して施錠し、下に移動して離脱して解錠するようにしても良い。
【００２２】
次に、サッシ枠１０と障子戸２０の具体形状の一例を説明する。
図２と図３に示すように、前記上枠１１の内面１１ａと上框２１の外面２１ａとの間、下枠１２の内面１２ａと下框２２の外面２２ａとの間、縦枠１３の内面１３ａと戸先框２３、戸尻框２４の外面２３ａ，２４ａとの間は面内方向に離隔して空間部を有している。前記内面とは見付け方向の内側の面で、外面とは見付け方向の外側の面である。
そして、上枠１１と上框２１との間の空間部、下枠１２と下框２２との間の空間部に前述のフリクションステー２５がそれぞれ取付けてある。
前記上框２１、下框２２、戸先框２３、戸尻框２４の室外側寄りには、その外面２１ａ、２２ａ、２３ａ，２４ａよりも見付け方向外側に突出した室外側突出板２６を備え、この各室外側突出板２６が上枠１１、下枠１２、縦枠１３に装着した室外側シール材１４にそれぞれ圧着して前記空間部に雨水等が浸入しないようにしてある。
【００２３】
前記下部錠装置３０、上部錠装置４０のグレモン機構３２，４２は図４〜図６に示すように、基板５０に蓋５１を固着してガイド溝５２を有するケース５３と、このガイド溝５２に摺動自在に設けたスライダー５４と、基板５０に回動自在に設けたカム５５を備え、そのカム５５の角穴５６に操作部材３１，４１で回転される角軸（図示せず）が嵌合連結してある。カム５５の先端部がスライダー５４の凹部５４ａに係止連結されてカム５５が回動することでスライダー５４が摺動する。
このスライダー５４に、図４に仮想線で示すように杆体３３，４３が取付けられる。
【００２４】
前記下部錠装置３０の錠３４は、図７に示すようにフランジ付きのピンで、その小径部３４ａを杆体３３の孔３３ａに嵌合し、かつワッシャ３３ｂを設けてカシメて固着することで取付けられる。
前記下部錠装置３０の錠受３５は、下端面に開口した係合凹部３５ａを有し、この係合凹部３５ａに錠３４が嵌まり込むように係合して施錠状態となる。この係合凹部３５ａの幅は錠３４のピン部３４ｂの径よりも大きく、フランジ３４ｃの径よりも小さい。
このようであるから、下部錠装置３０は、その錠３４を下から上に向けて移動することで錠受３５に係合して施錠状態となる。
この施錠状態の時に錠３４が係合凹部３５ａの底部に当たり、上方に移動できないように支持する。
前記錠受３５は例えば、表面板３５ｂと上面板３５ｃと左右の側面板３５ｄと、その上面板３５ｃ、側面板３５ｄに設けた取付片３５ｅを備え、その表面板３５ｂに係合凹部３５ａが形成してある。
【００２５】
前記上部錠装置４０の錠４４は、図８に示すようにフランジ付きのピンで、その小径部４４ａを杆体４３の孔４３ａに嵌合し、かつワッシャ４３ｂを設けてカシメで固着することで取付けられる。
前記上部錠装置４０の錠受４５は、上端面に開口した係合凹部４５ａを有し、この係合凹部４５ａに錠４４が嵌まり込むように係合して施錠状態となる。この係合凹部４５ａの幅は錠４４のピン部４４ｂの径よりも大きく、フランジ４４ｃの径よりも小さい。
このようであるから、上部錠装置４０は、その錠４４を上から下に向けて移動することで錠受４５に係合して施錠状態となる。
この施錠状態の時に錠４４が係合凹部４５ａの底部に当たり、錠４４を下方に移動できないように支持する。
【００２６】
このようであるから、下部錠装置３０の錠３４と上部錠装置４０の錠４４で錠受３５，４５を上下方向から挟持するから、強固に施錠できる。
【００２７】
前記錠受４５は例えば、表面板４５ｂと下面板４５ｃと左右の側面板４５ｄと、その下面板４５ｃ、側面板４５ｄに設けた取付片４５ｅを備え、その表面板４５ｂに係合凹部４５ａが形成してある。
なお、係合凹部３４ａ，４５ａはほぼＵ字状、ほぼＬ字状などでも良い、つまり錠３４，４４が当接して下方、上方に移動しないように支持する形状であれば良い。
【００２８】
前記下部錠装置３０の操作部材３１は図３に示すように、戸先框２３の室内側面２３ｂに回転可能に取付けられる。
前記グレモン機構３２は戸先框２３の中空部２３ｃ内に取付けられ、そのカム５５の角穴５６に操作部材３１の角軸３１ａが嵌合する。
前記杆体３３は戸先框２３の外面２３ａに形成したガイド溝２３ｄに沿って上下動自在に支承される。
前記錠受３５は一方の縦枠１３の内面１３ａに固着される。例えば、前述の取付片３５ｅを一方の縦枠１３の内面１３ａにビス止めして固着する。
なお、上部錠装置４０の操作部材４１、グレモン機構４２、杆体４３、錠４４、錠受４５も下部錠装置３０と同様に戸先框２３、一方の縦枠１３に取付けられる。
【００２９】
図３に示すように、戸先框２３の室外側突出板２６の突出端面２６ａと一方の縦枠１３の内面１３ａとの間には隙間があり、この隙間からバール等の工具を挿入してこじることで開閉体２０を故意に開放しようとした場合に、その室外側突出板２６が強度的に弱く、比較的簡単に変形してしまう。
このように、室外側突出板２６が変形すると、前述の隙間が大きくなり、バール等の工具を縦枠１３と戸先框２３との間の空間部の奥まで挿入し易くなるから、障子戸２０をこじ開けし易くなる。
このことを防止するために、図３に示すように戸先框２３の室外側突出板２６を補強部材６０で補強して比較的簡単に変形しないようにしてある。
例えば、Ｌ字形状の補強部材６０を戸先框２３の外面２３ａに、スペーサ６１を介してビス６２で固着し、その補強部材６０を室外側突出板２６の室内側面に接して補強する。
【００３０】
図３に示すように、一方の縦枠１３の内面１３ａと戸先框２３の外面２３ａとが離隔して空間部を有するので、前述のようにバール等の工具を空間部に挿入して障子戸２０をこじ開け易くなるので、図９に示すように縦枠１３の内面１３ａにおける錠受３５，４５が取付けてない部分に工具挿入防止部材６３を取付ける。
例えば、矩形状のパイプ材を取付ける。
【００３１】
また、図３に示すように他方の縦枠１３の内面１３ａと戸尻框２４の外面２４ａとの間の空間部を閉塞部材６４で閉塞して前述のように障子戸２０をバール等の工具でこじった時の強度を向上する。
例えば、ブロック形状の閉塞部材６４を他方の縦枠１３の内面１３ａに取付ける。
【００３２】
前記下部錠装置３０、上部錠装置４０は、それぞれ１つの錠と錠受を有し、その錠を操作部材で上下に移動する形状でも良い。
【図面の簡単な説明】
【００３３】
【図１】縦辷り出し窓の概略内観図である。
【図２】縦辷り出し窓の詳細縦断面図である。
【図３】縦辷り出し窓の詳細横断面図である。
【図４】グレモン機構の正面図である。
【図５】グレモン機構の側面図である。
【図６】グレモン機構の平面図である。
【図７】下部錠装置の錠と錠受の斜視図である。
【図８】上部錠装置の錠と錠受の斜視図である。
【図９】縦辷り出し窓の工具挿入防止部材取付部の横断面図である。
【符号の説明】
【００３４】
１０…サッシ枠、１３…一方の縦枠、１３ａ…内面、２０…障子戸（開閉体）、２３…戸先框、２３ａ…外面、３０…下部錠装置、３１…操作部材、３２…グレモン機構、３３…杆体、３４…錠、３５…錠受、４０…上部錠装置、４１…操作部材、４２…グレモン機構、４３…杆体、４４…錠、４５…錠受。
【図１】
2005146674.tif 000003
【図２】
2005146674.tif 000004
【図３】
2005146674.tif 000005
【図４】
2005146674.tif 000006
【図５】
2005146674.tif 000007
【図６】
2005146674.tif 000008
【図７】
2005146674.tif 000009
【図８】
2005146674.tif 000010
【図９】
2005146674.tif 000011